(57)【特許請求の範囲】
【請求項１】
複数の機器（１０〜４０）の作動条件を設定するための複数のアイコン（１１１ａ〜１１１ｍ）を画像表示する表示部（１１０）と、
複数の前記アイコン（１１１ａ〜１１１ｍ）がユーザに対して透過されるようにして前記表示部（１１０）の表面に配置されて、前記ユーザのタッチ操作によって選択された前記アイコン（１１１ａ〜１１１ｍ）の位置を検知する検知部（１２０）と、
前記表示部（１１０）における複数の前記アイコン（１１１ａ〜１１１ｍ）の表示状態を制御すると共に、前記検知部（１２０）によって検知された位置に対応する前記アイコン（１１１ａ〜１１１ｍ）の作動条件で、複数の前記機器（１０〜４０）の作動を制御する制御部（１３０）とを備える操作制御装置であって、
前記表示部（１１０）には、複数の前記アイコン（１１１ａ〜１１１ｍ）を複数の前記機器（１０〜４０）ごとに前記ユーザの画面切替えによって順に表示する第１領域（１１１）と、複数の前記アイコン（１１１ａ〜１１１ｍ）のうち、前記ユーザによって選択されたアイコンをショートカットアイコン（１１２ｄ）として表示する第２領域（１１２）とが設けられており、
前記制御部（１３０）は、前記第２領域（１１２）の前記ショートカットアイコン（１１２ｄ）に基づく前記機器（１０〜４０）の作動がオン状態であり、前記ユーザのタッチ操作によって前記ショートカットアイコン（１１２ｄ）が選択されると、複数の前記アイコン（１１１ａ〜１１１ｍ）のうち、前記ショートカットアイコン（１１２ｄ）に関連する関連アイコン（１１１ｉ〜１１１ｌ）を、画面切替えすることで前記第１領域（１１１）に表示させることを特徴とする操作制御装置。
【請求項２】
前記制御部（１３０）は、前記第２領域（１１２）の前記ショートカットアイコン（１１２ｄ）に基づく前記機器（１０〜４０）の作動がオフ状態であり、前記ユーザのタッチ操作によって前記ショートカットアイコン（１１２ｄ）が選択されると、前記ショートカットアイコン（１１２ｄ）に基づく前記機器（１０〜４０）の作動をオン状態とすると共に、前記関連アイコン（１１１ｉ〜１１１ｌ）の前記第１領域（１１１）への表示を禁止することを特徴とする請求項１に記載の操作制御装置。
【請求項３】
前記関連アイコン（１１１ｉ〜１１１ｌ）は、前記機器（１０〜４０）における複数の作動モードのうちのいずれかを選択するために使用される複数の選択用アイコンであることを特徴とする請求項１または請求項２に記載の操作制御装置。
【請求項４】
複数の前記機器（１０〜４０）には、空調装置（２０）が含まれており、
前記複数の作動モードは、前記空調装置（２０）が空調風を吹出す際の複数の吹出しモードであることを特徴とする請求項３に記載の操作制御装置。
【発明の詳細な説明】
【技術分野】
【０００１】
本発明は、操作画面上に表示されるアイコンにタッチすることで入力操作を可能とする操作制御装置に関するものである。
【背景技術】
【０００２】
従来の操作制御装置として、例えば、特許文献１に記載されたものが知られている。即ち、特許文献１の操作制御装置（車両用操作装置）は、ディスプレイの表面にタッチパネルが設けられた表示部と、ディスプレイの表示内容を制御すると共に、タッチパネルへのタッチ操作に基づいて空調装置やオーディオ等の各種機器の作動を制御する表示制御部とを備えている。
【０００３】
特許文献１の操作制御装置では、各種機器の操作項目に対応する複数のアイコンのすべてが、ディスプレイの一画面上に表示されるようになっている。そして、いずれかのアイコンがユーザによってタッチ操作（選択）されると、そのアイコンに対応付けられた操作項目の設定値または動作モードを選択するための選択画面が、複数のアイコンに対して重畳されるようにディスプレイ上に表示されるようになっている。
【０００４】
これにより、ユーザは、まず複数のアイコンに対して操作したいアイコンを選択し、次に重畳表示される選択画面内で設定値または動作モードを選択する、という２回のタッチ操作で、設定値または動作モードを変更することができるようになり、ユーザの操作負担が軽減されるようになっている。
【先行技術文献】
【特許文献】
【０００５】
【特許文献１】国際公開第２０１１／０１３５１４号
【発明の概要】
【発明が解決しようとする課題】
【０００６】
しかしながら、搭載条件等からディスプレイの表示面積に制約を受けると、そもそもディスプレイ上にすべてのアイコンを表示すること自体に無理が生ずる。このような制約下においては、複数のアイコンを所定のグループに分けて、例えば、ディスプレイの画面上でグループごとに画面切替えすることで、複数のアイコンが順に表示されるものが想定される。このような場合であると、まず、操作したいアイコンを画面切替えによって探し、更に、上記で説明したような２回の操作をすることで設定値または動作モードの変更が可能になると考えられ、画面切替えの操作の分だけユーザの操作負担が増加する。
【０００７】
本発明の目的は、上記問題に鑑み、複数のアイコンが、表示部の画面切替えによって順に表示される場合であっても、ユーザの操作の負担を軽減できる操作制御装置を提供することにある。
【課題を解決するための手段】
【０００８】
本発明は上記目的を達成するために、以下の技術的手段を採用する。
【０００９】
本発明では、複数の機器（１０〜４０）の作動条件を設定するための複数のアイコン（１１１ａ〜１１１ｍ）を画像表示する表示部（１１０）と、
複数のアイコン（１１１ａ〜１１１ｍ）がユーザに対して透過されるようにして表示部（１１０）の表面に配置されて、ユーザのタッチ操作によって選択されたアイコン（１１１ａ〜１１１ｍ）の位置を検知する検知部（１２０）と、
表示部（１１０）における複数のアイコン（１１１ａ〜１１１ｍ）の表示状態を制御すると共に、検知部（１２０）によって検知された位置に対応するアイコン（１１１ａ〜１１１ｍ）の作動条件で、複数の機器（１０〜４０）の作動を制御する制御部（１３０）とを備える操作制御装置であって、
表示部（１１０）には、複数のアイコン（１１１ａ〜１１１ｍ）を複数の機器（１０〜４０）ごとにユーザの画面切替えによって順に表示する第１領域（１１１）と、複数のアイコン（１１１ａ〜１１１ｍ）のうち、ユーザによって選択されたアイコンをショートカットアイコン（１１２ｄ）として表示する第２領域（１１２）とが設けられており、
制御部（１３０）は、第２領域（１１２）のショートカットアイコン（１１２ｄ）に基づく機器（１０〜４０）の作動がオン状態であり、ユーザのタッチ操作によってショートカットアイコン（１１２ｄ）が選択されると、複数のアイコン（１１１ａ〜１１１ｍ）のうち、ショートカットアイコン（１１２ｄ）に関連する関連アイコン（１１１ｉ〜１１１ｌ）を、画面切替えすることで第１領域（１１１）に表示させることを特徴としている。
【００１０】
この発明によれば、複数のアイコン（１１１ａ〜１１１ｍ）は、第１領域（１１１）に複数の機器（１０〜４０）ごとにユーザの画面切替えによって順に表示されるものとなっている。ユーザは、選択したアイコンを予め、ショートカットアイコン（１１２ｄ）として第２領域（１１２）に設定しておくことができる。そして、ショートカットアイコン（１１２ｄ）に基づく機器（１０〜４０）の作動がオン状態であり、ユーザが、そのショートカットアイコン（１１２ｄ）をタッチ操作により選択すると、制御部（１３０）は、画面切替えすることで第１領域（１１１）にショートカットアイコン（１１２ｄ）に関連する関連アイコン（１１１ｉ〜１１１ｌ）を表示させる。よって、ユーザは、表示された関連アイコン（１１１ｉ〜１１１ｌ）をタッチ操作することで、最初のショートカットアイコン（１１２ｄ）に基づく作動条件を変更することができる。
【００１１】
つまり、ユーザがショートカットアイコン（１１２ｄ）を選択することで、自動的に第１領域（１１１）に関連アイコン（１１１ｉ〜１１１ｌ）が表示される。よってユーザ自身が画面切替え操作を行い、複数のアイコン（１１１ａ〜１１１ｍ）から関連アイコン（１１１ｉ〜１１１ｌ）を探して表示する手間が不要となり、ユーザの操作負担を低減することができる。
【００１２】
尚、上記各手段の括弧内の符号は、後述する実施形態記載の具体的手段との対応関係を示すものである。
【図面の簡単な説明】
【００１３】
【図１】操作制御装置の全体構成を示す構成図である。
【図２】ディスプレイに表示されるオーディオ用アイコンおよびショートカットアイコンを示す説明図である。
【図３】ディスプレイに表示されるエアコン用アイコンおよびショートカットアイコンを示す説明図である。
【図４】ショートカットアイコンの設定方法を示す説明図である。
【図５】ショートカットアイコンの操作に基づき、関連アイコンが表示される状態を示す説明図である。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１５】
（第１実施形態）
第１実施形態の操作制御装置１００について、図１〜図５を用いて説明する。操作制御装置１００は、車両用（例えばハイブリッド車両用）として設定されており、ディスプレイ１１０に表示される各種アイコン１１１ａ〜１１１ｍ、１１２ａ〜１１２ｄを、ユーザが操作することで、車両に搭載される複数の機器１０〜４０の作動条件を設定して、作動状態を制御する装置となっている。
【００１６】
複数の機器（以下、各種機器）１０〜４０は、例えば、ラジオ、ＣＤプレーヤー、および道路交通情報受信装置等を含むオーディオ装置１０、車室内の空調を行う空調装置２０、ハイブリッド車両における走行用エンジンと走行用モータの作動切替えを制御するハイブリッド装置３０、および車両走行時における横滑りを防止する横滑り防止装置４０等である。
【００１７】
操作制御装置１００は、図１に示すように、表示部１１０、タッチパネル１２０、および制御部１３０等を備えている。表示部１１０およびタッチパネル１２０は、入力部を形成し、車両のインストルメントパネルの例えば中央部に配置されて、ユーザから見やすく、また操作（タッチ操作）しやすいように設けられている。制御部１３０は、インストルメントパネル内に配置されている。
【００１８】
ディスプレイ１１０は、図１〜図３に示すように、ユーザ側から見た正面形状が横長の四角形を成す表示部であり、例えば、液晶ディスプレイ、有機ＥＬディスプレイ等によって構成されている。ディスプレイ１１０の表示面には、上下方向に並ぶ３つの領域、即ち、アイコン選択領域１１１、カスタマイズ領域１１２、および設定状態表示領域１１３が形成されている。各領域１１１〜１１３は、水平方向に延びる細長の領域となっている。
【００１９】
アイコン選択領域１１１は、３つの領域のうち真ん中に位置しており、各種機器１０〜４０の作動条件を設定するための複数のアイコン１１１ａ〜１１１ｍが画像表示される領域となっている。アイコン選択領域１１１は、本発明の第１領域に対応する。
【００２０】
複数のアイコン１１１ａ〜１１１ｍは、例えば、オーディオ用アイコン１１１Ａ、エアコン用アイコン１１１Ｂ、更にはハイブリッド装置３０用、横滑り防止装置４０用のアイコンとして、それぞれ設定されている。
【００２１】
オーディオ用アイコン１１１Ａには、図２に示すように、ラジオ放送（ＦＭあるいはＡＭ）を選択するためのラジオアイコン１１１ａ、ＣＤプレーヤー操作用のＣＤアイコン１１１ｂ、渋滞や交通事故等の各種交通情報を受信するための交通情報アイコン１１１ｃ、送りアイコン１１１ｄ、戻しアイコン１１１ｅ、およびスタートストップアイコン１１１ｆ等が設けられている。
【００２２】
また、エアコン用アイコン１１１Ｂには、図３に示すように、空調装置のオンオフを選択するオートアイコン１１１ｇ、内気モードを選択する内気モードアイコン１１１ｈ、フェイスモードによる吹出しを選択するフェイスモードアイコン１１１ｉ、フェイスフットモードによる吹出しを選択するフェイスフットモードアイコン１１１ｊ、フットモードによる吹出しを選択するフットモードアイコン１１１ｋ、フットデフモードによる吹出しを選択するフットデフモードアイコン１１１ｌ、および前席集中吹出しのオンオフを選択する前席集中吹出しオンオフアイコン１１１ｍ等が設けられている。
【００２３】
尚、エアコン用アイコン１１１Ｂとしては、上記の他にも、例えば、デュアル設定を選択するデュアルアイコン、シート空調のオンオフを選択するシート空調アイコン、フロントウインドウの曇り止めを選択するためのフロントデフロスタアイコン、リアウインドウの曇り止めを選択するためのリアデフロスタアイコン、および後席の空調を選択するための後席空調アイコン等がある。
【００２４】
また、ハイブリッド装置３０用、横滑り防止装置４０用のアイコンとしては、モータ走行時にエンジン音に相当する接近音を設定するための接近音アイコン、走行モードを設定するためのＥＶモード設定アイコン、および横滑り防止を設定するための横滑り防止アイコン等がある。
【００２５】
上記の複数のアイコン１１１ａ〜１１１ｍ等は、複数の機器１０〜４０に対応するものであり、トータルの設定数が非常に多くなっており、一度にすべてのアイコン１１１ａ〜１１１ｍ等を、アイコン選択領域１１１に表示することは事実上不可能である。本実施形態では、アイコン選択領域１１１に一度に表示できるアイコン数は、例えば、図３に示すように、最大でも７つ程度である。よって、複数のアイコン１１１ａ〜１１１ｍ等は、各種機器１０〜４０ごとにグループ分けされて、画面切替えによって順番に表示されるようになっている（詳細後述）。
【００２６】
カスタマイズ領域１１２は、３つの領域のうち上側に位置しており、上記で説明した各種アイコン１１１ａ〜１１１ｍ等のうち、ユーザによって選択されたアイコンをショートカットアイコンとして表示する領域となっている。カスタマイズ領域１１２は、本発明の第２領域に対応する。
【００２７】
カスタマイズ領域１１２に設定可能なショートカットアイコンの数は、最大で７つ程度である。図２、図３においては、例えば、横滑り防止アイコン１１２ａ、接近音アイコン１１２ｂ、およびＥＶモード設定アイコン１１２ｃが、ショートカットアイコンとして設定されている状態を示している。ショートカットアイコンの設定要領については、後述する。
【００２８】
設定状態表示領域１１３は、３つの領域のうち下側に位置しており、ここでは、例えば空調装置２０に対する作動条件の設定状態を表示する領域となっている。具体的には、運転席側の設定温度１１３ａ、助手席側の設定温度１１３ｂ、および送風機に対する設定風量１１３ｃ等が表示されるようになっている。設定状態表示領域１１３における表示は、アイコン選択領域１１１における表示とは異なり、表示内容の切替え機能は無く、固定内容の表示となっている。
【００２９】
タッチパネル１２０は、透明で、上記ディスプレイ１１０の表示面に対応する四角形の板状を成す位置検知部であり、ディスプレイ１１０の表示面（表面）に対向する位置に設けられている。ディスプレイ１１０における複数のアイコン１１１ａ〜１１１ｍ、１１２ａ〜１１２ｄ等は、タッチパネル１２０を透過してユーザに視認されるようになっている。
【００３０】
タッチパネル１２０としては、例えば、静電容量式のもの、あるいは、抵抗膜式のもの等、各種タイプのものを使用することができる。本実施形態では、タッチパネル１２０は、静電容量式（自己容量方式）のものが使用されている。静電容量式のタッチパネル１２０には、マトリックス状に形成された複数の透明な電極が設けられている。タッチパネル１２０は、ユーザのタッチ操作による指先と複数の電極との間で、指の位置に応じて生ずる静電容量の変化をもとに、指がタッチパネル１２０上のどこにあるかを検知して、この検知した位置を位置信号として制御部１３０へ出力するようになっている。
【００３１】
制御部１３０は、ディスプレイ１１０、タッチパネル１２０、および各種機器１０〜４０と接続されている。制御部１３０は、ディスプレイ１１０における複数のアイコン１１１ａ〜１１１ｍ、１１２ａ〜１１２ｄ等、更には設定状態表示領域１１３の表示状態を制御すると共に、タッチパネル１２０によって検知された位置信号に対応するアイコンの作動条件で各種機器１０〜４０の作動を制御するようになっている。
【００３２】
操作制御装置１００は、以上のように構成されており、以下、操作制御装置１００の作動について、図４、図５を加えて説明する。
【００３３】
アイコン選択領域１１１における複数のアイコン１１１ａ〜１１１ｍは、上記で説明したように、トータル数が非常に多く、一度にすべてを表示することができない。このため、例えば、図２、図３に示すように、アイコン選択領域１１１上にて、ユーザのフリック操作が行われると、タッチパネル１２０によって指の水平方向の動きが検知される。この水平方向の動きを受けた制御部１３０は、アイコン選択領域１１１がページめくりされるようにして、各種機器１０〜４０に対応するアイコン（アイコンのグループ）を順番に表示する。特に、エアコン用のアイコン１１１Ｂは、上記で説明したように数が多いため、複数ページにわたって表示されるようになっている。このように、ユーザは、操作したい機器に対して、使用したい（作動条件を設定したい）アイコンをフリック操作によって順に探して、そのアイコンが表示されるように操作する。
【００３４】
そして、ユーザが使用したいアイコンを指先でタッチ操作すると、タッチされたアイコンの位置がタッチパネル１２０によって検知され、制御部１３０は、検知された位置信号に対応するアイコンの作動条件で各種機器１０〜４０を作動させる。
【００３５】
例えば、図２において、ユーザがＣＤアイコン１１１ｂにタッチすると、制御部１３０は、オーディオ装置１０におけるＣＤプレーヤーを作動させ、送りアイコン１１１ｄがタッチされると、再生中の曲を次の順番の曲にスキップさせる。また、例えば、図３において、ユーザがオートアイコン１１１ｇにタッチすると、制御部１３０は、空調装置２０を作動させ、例えばフェイスフットモードアイコン１１１ｊがタッチされると、吹出しモードをフェイスフットモードに切替える。
【００３６】
ここで、本実施形態では、複数のアイコン１１１ａ〜１１１ｍのうち、ユーザの使い勝手に応じて、使用頻度の高いアイコンをショートカットアイコンとして設定できるようになっている。
【００３７】
図４に示すように、ユーザは、フリック操作によって、ショートカットアイコンとして設定したいアイコンが、アイコン選択領域１１１に表示されるようにし、ショートカットアイコンとして設定したいアイコン（図４中では、フェイスフットモードアイコン１１１ｊ）をタッチして、カスタマイズ領域１１２にドラッグアンドドロップする。
【００３８】
このとき、制御部１３０は、タッチパネル１２０からタッチされたアイコンおよびドラッグアンドドロップされた動きを把握して、選択されたアイコンをカスタマイズ領域１１２にショートカットアイコン（フェイスフットモードアイコン１１２ｄ）として画像形成して表示させる。
【００３９】
ショートカットアイコンの設定により、ユーザは、アイコン選択領域１１１における複数のアイコン１１１ａ〜１１１ｍに関係なく、つまりアイコン選択領域１１１にどのアイコンが表示されていても、フリック操作することなく、直接的にショートカットアイコンをタッチすることで、その作動条件で機器を作動させることが可能となる。
【００４０】
更に、本実施形態では、ショートカットアイコンに基づく機器（１０〜４０）の作動がオン状態（例えばインジケータ表示あり）の場合に、図５（ａ）に示すように、ユーザがショートカットアイコンをタッチ操作すると（選択すると）、制御部１３０は、図５（ｂ）に示すように、関連アイコンの表示を行うようになっている。
【００４１】
具体的には、ショートカットアイコンに基づく機器（１０〜４０）の作動がオン状態の場合に、ユーザがショートカットアイコンを選択するということは、他の作動条件（他の吹出しモード）に変更したい場合を意味している。このとき、制御部１３０は、ディスプレイ１１０の画面切替えによって、そのショートカットアイコンに関連する関連アイコンを、アイコン選択領域１１１に表示する。関連アイコンというのは、各種機器１０〜４０において、複数の作動モードのうちのいずれかを選択するために使用される複数の選択用アイコンである。複数の選択用アイコンは、例えば、空調装置２０では、空調風を吹出す際の複数の吹出しモードのうちのいずれかを設定するためのフェイスモードアイコン１１１ｉ、フェイスフットモードアイコン１１１ｊ、フットモードアイコン１１１ｋ、およびフットデフモードアイコン１１１ｌである。
【００４２】
図５では、カスタマイズ領域１１２において、ショートカットアイコンとして設定されたフェイスフットモードアイコン１１２ｄがタッチされると（図５（ａ））、制御部１３０は、アイコン選択領域１１１の画面切替えによって、吹出しモードに関連するフェイスモードアイコン１１１ｉ、フェイスフットモードアイコン１１１ｊ、フットモードアイコン１１１ｋ、およびフットデフモードアイコン１１１ｌを表示させる（図５（ｂ））ことを示している。
【００４３】
一方、ショートカットアイコンに基づく機器（１０〜４０）の作動がオフ状態（例えばインジケータ表示なし）の場合に、ユーザがショートカットアイコンをタッチ操作すると（選択すると）、制御部１３０は、上記のような関連アイコンの表示を禁止して（表示を行わずに）、ショートカットアイコンに基づく機器（１０〜４０）の作動をオン状態とする（例えばインジケータ表示ありとする）。
【００４４】
以上のように、本実施形態では、複数のアイコン１１１ａ〜１１１ｍは、アイコン選択領域１１１に各種機器１０〜４０ごとにユーザの画面切替えによって順に表示されるものとなっている。ユーザは、選択したアイコンを予め、ショートカットアイコン（１１２ｄ）としてカスタマイズ領域１１２に設定しておくことができる。そして、ショートカットアイコン（１１２ｄ）に基づく機器（１０〜４０）の作動がオン状態であり、ユーザが、そのショートカットアイコン（１１２ｄ）をタッチ操作により選択すると、制御部１３０は、画面切替えすることでアイコン選択領域１１１にショートカットアイコン（１１２ｄ）に関連する関連アイコン（１１１ｉ〜１１１ｌ）を表示させる。よって、ユーザは、表示された関連アイコン（１１１ｉ〜１１１ｌ）をタッチ操作することで、最初のショートカットアイコン（１１２ｄ）に基づく作動条件を変更することができる。
【００４５】
つまり、ユーザがショートカットアイコン（１１２ｄ）を選択することで、自動的にアイコン選択領域１１１に関連アイコン（１１１ｉ〜１１１ｌ）が表示されるので、ユーザ自身が画面切替え操作を行い、複数のアイコン１１１ａ〜１１１ｍから関連アイコン（１１１ｉ〜１１１ｌ）を探して表示する手間が不要となり、ユーザの操作負担を低減することができる。
【００４６】
（その他の実施形態）
上記第１実施形態では、ショートカットアイコンに関連する関連アイコンとして、空調装置２０における吹出しモードを選択するフェイスモードアイコン１１１ｉ、フェイスフットモードアイコン１１１ｊ、フットモードアイコン１１１ｋ、およびフットデフモードアイコン１１１ｌとしたが、これに限定されるものではない。
【００４７】
例えば、ショートカットアイコンとしてオーディオ装置１０におけるラジオアイコンとし、関連アイコンとしてラジオ放送（ＦＭあるいはＡＭ）を選択するためのラジオアイコン、ラジオ局を選択するためのラジオ局アイコン、および音量を調節するための音量アイコン等とすることができる。また、ショートカットアイコンとしてオーディオ装置１０におけるＣＤプレーヤーアイコンとし、関連アイコンとしてＣＤを再生するための再生アイコン、再生を停止させるためのストップアイコン、曲送りをするための送りアイコン、および曲を戻すための戻しアイコン等とすることができる。
【符号の説明】
【００４８】
１０  オーディオ装置（機器）
２０  空調装置（機器）
３０  ハイブリッド装置（機器）
４０  横滑り防止装置（機器）
１００  操作制御装置
１１０  ディスプレイ（表示部）
１１１  アイコン選択領域（第１領域）
１１１ａ〜１１１ｆ  オーディオ用の各アイコン
１１１ｇ〜１１１ｍ  エアコン用の各アイコン
１１１ｉ〜１１１ｌ  関連アイコン
１１２  カスタマイズ領域（第２領域）
１１２ｄ  ショートカットアイコン
１２０  タッチパネル
１３０  制御部
【図１】
0006299565.tif 000002
【図２】
0006299565.tif 000003
【図３】
0006299565.tif 000004
【図４】
0006299565.tif 000005
【図５】
0006299565.tif 000006